(57)【要約】【課題】  釣糸を結束しやすく、切れにくく、細くしやすくするために、結目部分に２個から７個の連なった穴を備えた釣針を提供する。【解決手段】  釣針の結目部分を軸部分より幅を広げ、そこに２個から７個の円形と楕円形の穴を組み合わせて設け、その穴の内径は、釣糸が２本から６本くらい通る大きさにし、さらに釣糸が切れにくく巻きつきやすく絡みつきやすいように、すべての角を丸くしたことを特徴とする釣針である。【選択図】図１
2010183897.tif 000002
【特許請求の範囲】
【請求項１】
釣針の結目部分である。特徴として、軸部分より幅を広げ，そこに釣糸を通すための穴を５個設けている。
【請求項２】
釣針の結目部分である。特徴として、軸部分より幅を広げ，そこに釣糸を通すための穴を［請求項１］における形及び配列とは異なるものを５個設けている。
【請求項３】
釣針の結目部分である。特徴として、軸部分より幅を広げ，そこに釣糸を通すための穴を２個設けている。
【請求項４】
釣針の結目部分である。特徴として、軸部分より幅を広げ，そこに釣糸を通すための穴を［請求項３］における形及び配列とは異なるものを２個設けている。
【請求項５】
釣針の結目部分である。特徴として、軸部分より幅を広げ，そこに釣糸を通すための穴を３個設けている。
【請求項６】
釣針の結目部分である。特徴として、軸部分より幅を広げ，そこに釣糸を通すための穴を［請求項５］における形及び配列とは異なるものを３個設けている。
【請求項７】
釣針の結目部分である。特徴として、軸部分より幅を広げ，そこに釣糸を通すための穴を［請求項５］及び［請求項６］における形及び配列とは異なるものを３個設けている。
【請求項８】
釣針の結目部分である。特徴として、軸部分より幅を広げ，そこに釣糸を通すための穴を４個設けている。
【請求項９】
釣針の結目部分である。特徴として、軸部分より幅を広げ，そこに釣糸を通すための穴を［請求項８］における形及び配列とは異なるものを４個設けている。
【請求項１０】
釣針の結目部分である。特徴として、軸部分より幅を広げ，そこに釣糸を通すための穴を６個設けている。
【請求項１１】
釣針の結目部分である。特徴として、軸部分より幅を広げ，そこに釣糸を通すための穴を７個設けている。
【発明の詳細な説明】
【技術分野】
【０００１】  本発明は、結目部分に２個から７個の連なる穴を設けた釣針に関するものである。
【背景技術】
【０００２】  従来、釣針の結目部分は、２種類に大別されていた。ひとつは、端を平らに押しつぶしたものと、もうひとつは１個の環をつけたものであった。
【発明の開示】
【発明が解決しようとする課題】
【０００３】  そのためには、次のような問題点があった。
（イ）結束方法は、種類が多いが、適切に結束するためには、熟練した高度な技術に加えて、かなりの筋力が必要である。細い釣糸の場合は、指の力だけあるが、釣糸が太くなるにつれて、指、手、腕、全身と強い筋力を要する。
（ロ）釣糸の張力が、特に結目の大きく曲がっている箇所や釣糸と釣糸或いは釣糸と釣針とによって強く引っ張られ圧迫され締め付けられている箇所に作用するとその箇所から釣糸が切れたり、逆にゆるく結束すれば抜けてしまうことが従来の結束方法の弱点であった。
（ハ）釣糸を細くすれば釣果向上を期待できるので、細くしても切れにくい結束方法が求められてきたが、まだ実現していなかった。
本発明は、以上の問題点を解決するためのものである。
【課題を解決するための手段】
【０００４】  釣針の結目部分を軸部分より幅を広げ、そこに２個から７個の円形と楕円形の穴を組み合わせて設ける。その穴の内径は、釣糸が２本から６本くらい通る大きさにすること。さらに釣糸が切れにくく巻きつきやすく絡みつきやすいように、すべての角を丸くすること。以上を特徴とする釣針である。
【発明の効果】
【０００５】  釣針に釣糸を結束するために熟練した高度な技術を用いずとも、適切に素早く結束できる。この際、従来は必要であった強い筋力を大幅に軽減できる。そして、張力が掛かる箇所に関しては、釣糸に大きく曲がった箇所が無く、釣糸を強く引っ張らず圧迫せず締め付けず、釣針に巻きつけ、絡めつけているので、張力を徐々に分散させていくことにより、一箇所に張力が集中してしまうことを防ぎ、張力の影響を可能な限り弱くしてしまう。つまり従来の結束方法より釣糸が切れにくい。従ってより細い釣糸を用いることができるので釣果向上を期待できる。
【発明を実施するための最良の形態】
【０００６】  以下、本発明の実施の形態について説明する。
（イ）釣針（１）の結目部分（２）を軸部分よりも幅を広げる。
（ロ）結目部分（２）の中に、本発明の請求項ごとに、穴（３）の数と形と配列は異なるが２個から７個の円形と楕円形の穴（３）を組み合わせて設ける。
（ハ）穴（３）の内径は、釣糸（４）が２本から６本くらい通る大きさにすること。さらに、釣糸（４）が切れにくく巻きつきやすく絡みつきやすいように、すべての角を丸くすること。
本発明は、以上のような構成で、これを使用するときは、釣糸（４）を釣針（１）の端に当たる最初の穴（３）に釣針（１）の必ず内側方向からくぐらせること。その後は、順々に釣糸（４）を穴（３）に通していく。この際、特に強い力で巻きつけたりする必要はない。大きくたるむことのないように巻きつけ、引っ張り過ぎないように絡めつけていけば良い。最後に結束するときは、簡単な結束方法で充分である。
【図面の簡単な説明】
【０００７】
【図１】  本発明の［請求項１］の図面である。上段に斜視図、中段に結束例を２例図示した。下段には、正面図、立面図、側面図を示した。
【図２】  本発明の［請求項２］の図面である。上段に斜視図、下段に結束例を１例図示した。
【図３】  本発明の［請求項３］の図面である。上段に斜視図、下段に結束例を２例図示した。
【図４】  本発明の［請求項４］の図面である。上段に斜視図、下段に結束例を１例図示した。
【図５】  本発明の［請求項５］の図面である。上段に斜視図、下段に結束例を２例図示した。
【図６】  本発明の［請求項６］の図面である。上段に斜視図、下段に結束例を１例図示した。
【図７】  本発明の［請求項７］の図面である。上段に斜視図、下段に結束例を２例図示した。
【図８】  本発明の［請求項８］の図面である。上段に斜視図、下段に結束例を２例図示した。
【図９】  本発明の［請求項９］の図面である。上段に斜視図、下段に結束例を１例図示した。
【図１０】  本発明の［請求項１０］の図面である。上段に斜視図、下段に結束例を１例図示した。
【図１１】  本発明の［請求項１１］の図面である。上段に斜視図、下段に結束例を１例図示した。
【符号の説明】
【０００８】１  釣針
２  結目部分
３  穴
４  釣糸
【図１】
2010183897.tif 000003
【図２】
2010183897.tif 000004
【図３】
2010183897.tif 000005
【図４】
2010183897.tif 000006
【図５】
2010183897.tif 000007
【図６】
2010183897.tif 000008
【図７】
2010183897.tif 000009
【図８】
2010183897.tif 000010
【図９】
2010183897.tif 000011
【図１０】
2010183897.tif 000012
【図１１】
2010183897.tif 000013
【手続補正書】
【提出日】平成22年3月14日(2010.3.14)
【手続補正１】
【補正対象書類名】特許請求の範囲
【補正対象項目名】全文
【補正方法】変更
【補正の内容】
【特許請求の範囲】
【請求項１】
釣針の軸部分よりも２倍以上幅を広げた結目部分に釣糸を通すための穴を５個設けた釣針であって、上記釣糸を通すための穴は、最初に釣糸を通し始める結目部分の端に近いところに針軸の縦の中心線上に釣糸がらくに２本以上通る広さをもつ１個の円形の穴と、当該円形の穴の針先側に当該中心線から並列して設けられ、釣糸がらくに３本以上通る広さをもつ２個の同じ形状の楕円形の穴と、当該２個の同じ形状の楕円形の穴の針先側に当該中心線から並列して設けられ、釣糸がらくに３本以上通る広さをもつ２個の同じ形状の楕円形の穴とで構成され、上記のように配列され、さらに、釣糸が切れにくく、絡みつきやすいように、結目部分の総ての角が単なる面取り程度ではなく本当に角がなく丸く仕上げられていることを特徴とする釣針。
【請求項２】
釣針の軸部分よりも２倍以上幅を広げた結目部分に釣糸を通すための穴を、［請求項１］とは、形状、構成、配列が下記のごとく異なるものを５個設けた釣針であって、上記釣糸を通すための穴は、最初に釣糸を通し始める結目部分の端に近いところに針軸の縦の中心線上から並列して設けられ、釣糸がらくに２本以上通る広さをもつ２個の同じ広さの円形の穴と、当該２個の同じ広さの円形の穴の針先側に当該中心線上に設けられた穴の広さが当該２個の同じ広さをもつ円形のものより２倍以上のものである１個の円形の穴と、当該１個の円形の穴の針先側に当該中心線から並列して設けられ、釣糸がらくに４本以上通る広さをもつ２個の同じ形状の特に長い楕円形の穴とで構成され、上記のように配列され、さらに、釣糸が切れにくく、絡みつきやすいように、結目部分の総ての角が単なる面取り程度ではなく本当に角がなく丸く仕上げられていることを特徴とする釣針。
【手続補正書】
【提出日】平成22年5月22日(2010.5.22)
【手続補正１】
【補正対象書類名】特許請求の範囲
【補正対象項目名】全文
【補正方法】変更
【補正の内容】
【特許請求の範囲】
【請求項１】
釣針の軸部分よりも幅を広げた結目部分に釣糸を通すための穴を５個設けた釣針であって、上記釣糸を通すための穴は、最初に釣糸を通し始める結目部分の端に近いところで針軸の縦の中心線上に設けられ、釣糸が２本以上通る広さをもつ１個の円形の穴と、当該円形の穴の針先側に当該中心線を挟んで並列して設けられ、釣糸が３本以上通る広さをもつ２個の同じ形状の楕円形の穴と、当該２個の同じ形状の楕円形の穴の針先側に当該中心線を挟んで並列して設けられ、釣糸が３本以上通る広さをもつ２個の同じ形状の楕円形の穴とで構成され、さらに、釣糸が切れにくく、絡みつきやすいように、結目部分の総ての角が丸く仕上げられていることを特徴とする釣針。
【請求項２】
釣針の軸部分よりも幅を広げた結目部分に釣糸を通すための穴を５個設けた釣針であって、上記釣糸を通すための穴は、最初に釣糸を通し始める結目部分の端に近いところに針軸の縦の中心線を挟んで並列して設けられ、釣糸が２本以上通る広さをもつ２個の同じ広さの円形の穴と、当該２個の同じ広さの円形の穴の針先側で当該中心線上に設けられ、穴の広さが当該２個の円形の穴より広い１個の円形の穴と、当該１個の円形の穴の針先側に当該中心線を挟んで並列して設けられ、釣糸が４本以上通る広さをもつ２個の同じ形状の楕円形の穴とで構成され、さらに、釣糸が切れにくく、絡みつきやすいように、結目部分の総ての角が丸く仕上げられていることを特徴とする釣針。